(57)【特許請求の範囲】
【請求項１】
情報を表示する表示部と、前記表示部を駆動する電池を収納する電池収納部と、前記電池収納部を閉塞する電池蓋とを備える測定器であって、
前記電池蓋は、前記表示部と隣り合うようにして取り付けられるとともに、光を照射することによって前記表示部を照明する光源を備え、
前記光源は、前記電池にて駆動されることを特徴とする測定器。
【請求項２】
請求項１に記載された測定器において、
前記電池蓋は、前記表示部の表示面と直交する軸を中心として回転自在に前記電池収納部に取り付けられ、
前記光源は、前記電池蓋の回転に伴って光を照射する方向を変動させることを特徴とする測定器。
【請求項３】
請求項１または請求項２に記載された測定器において、
前記光源を点灯または消灯させる光源用スイッチを備えることを特徴とする測定器。
【請求項４】
請求項３に記載された測定器において、
前記測定器の全体を制御する制御手段を備え、
前記制御手段は、
所定の間隔で測定値の変動を観測する測定値観測部と、
前記測定値観測部にて観測された測定値の変動が所定の期間ない場合に、前記光源を消灯させるように前記光源用スイッチを切り替える消灯制御部とを備えることを特徴とする測定器。
【請求項５】
請求項３または請求項４に記載された測定器において、
前記測定器の全体を制御する制御手段を備え、
前記制御手段は、
所定の間隔で測定値の変動を観測する測定値観測部と、
前記測定値観測部にて観測された測定値の変動があった場合に、前記光源を点灯させるように前記光源用スイッチを切り替える点灯制御部とを備えることを特徴とする測定器。
【請求項６】
情報を表示する表示部と、前記表示部を駆動する電池を収納する電池収納部とを備える測定器に用いられるとともに、前記電池収納部を閉塞する電池蓋であって、
前記表示部と隣り合うようにして取り付けられるとともに、光を照射することによって前記表示部を照明する光源を備え、
前記光源は、前記電池にて駆動されることを特徴とする電池蓋。
【発明の詳細な説明】
【技術分野】
【０００１】
本発明は、測定器およびその測定器に用いられる電池蓋に関する。
【背景技術】
【０００２】
従来、情報を表示する表示部を備えたノギスやマイクロメータなどの測定器が知られている。このような測定器を暗所にて使用する場合には、表示部の視認性は低下し、表示部に表示された情報は見えにくくなってしまうという問題がある。
【０００３】
そこで、例えば、特許文献１に記載されたデジタル表示式測定器は、面光源からなるバックライトを備え、このバックライトを発光させることによって、表示部を測定器の内部側から照明し、暗所での表示部の視認性を向上させている。
しかしながら、特許文献１に記載されたデジタル表示式測定器では、バックライトは、表示部を測定器の内部側から照明しているので、被測定物の測定箇所などの表示部以外の部位は、かえって見えにくくなってしまう場合があるという問題がある。
【０００４】
これに対して、例えば、特許文献２に記載されたノギス（測定器）は、豆電球を備え、この豆電球を発光させることによって、デジタル表示部をノギスの外部側から照明し、暗所での表示部の視認性を向上させている。
これによれば、豆電球は、表示部を測定器の外部側から照明しているので、被測定物の測定箇所などの表示部以外の部位も見えやすくなる。
【先行技術文献】
【特許文献】
【０００５】
【特許文献１】特開２００８−１１１７０６号公報
【特許文献２】実開昭６１−２０３３１２号公報
【発明の概要】
【発明が解決しようとする課題】
【０００６】
しかしながら、特許文献２に記載されたノギスでは、豆電球は、ノギスの外部に露出しているので、破損の恐れがあるだけでなく、測定器の外観を損ねてしまうという問題がある。また、このノギスは、豆電球を発光させるために、別個に電源を有しているので、ノギスが大型化してしまうという問題がある。
【０００７】
本発明の目的は、暗所での表示部の視認性を向上させることができるとともに、外観を良好にすることができ、測定器の大型化を抑制することができる測定器およびその測定器に用いられる電池蓋を提供することである。
【課題を解決するための手段】
【０００８】
本発明の測定器は、情報を表示する表示部と、表示部を駆動する電池を収納する電池収納部と、電池収納部を閉塞する電池蓋とを備える測定器であって、電池蓋は、表示部と隣り合うようにして取り付けられるとともに、光を照射することによって表示部を照明する光源を備え、光源は、電池にて駆動されることを特徴とする。
【０００９】
このような構成によれば、電池蓋は、光を照射することによって表示部を照明する光源を備えているので、暗所での表示部の視認性を向上させることができる。
また、光源は、電池蓋に取り付けられているので、測定器の外部に露出することはなく、測定器の外観を良好にすることができる。
さらに、光源は、表示部を駆動する電池にて駆動されるので、測定器は、光源を駆動するために別個に電池を有する必要はなく、測定器の大型化を抑制することができる。
【００１０】
本発明では、電池蓋は、表示部の表示面と直交する軸を中心として回転自在に電池収納部に取り付けられ、光源は、電池蓋の回転に伴って光を照射する方向を変動させることが好ましい。
【００１１】
このような構成によれば、光源は、電池蓋の回転に伴って光を照射する方向を変動させるので、表示部を照明する位置を変動させたり、被測定物の測定箇所などの表示部以外の部位を照明したりすることができ、測定器の利便性を向上させることができる。
【００１２】
本発明では、光源を点灯または消灯させる光源用スイッチを備えることが好ましい。
【００１３】
このような構成によれば、測定器は、光源用スイッチにて光源を点灯または消灯させることができるので、必要に応じて光源を点灯または消灯させることができ、ひいては電池の消耗を抑制することができる。
【００１４】
本発明では、測定器の全体を制御する制御手段を備え、制御手段は、所定の間隔で測定値の変動を観測する測定値観測部と、測定値観測部にて観測された測定値の変動が所定の期間ない場合に、光源を消灯させるように光源用スイッチを切り替える消灯制御部とを備えることが好ましい。
【００１５】
このような構成によれば、測定器は、測定値観測部と、消灯制御部とを備えているので、測定値の変動が所定の期間ない場合に、光源を自動的に消灯させることができる。したがって、測定器は、電池の消耗を抑制することができるとともに、その利便性を向上させることができる。
【００１６】
本発明では、測定器の全体を制御する制御手段を備え、制御手段は、所定の間隔で測定値の変動を観測する測定値観測部と、測定値観測部にて観測された測定値の変動があった場合に、光源を点灯させるように光源用スイッチを切り替える点灯制御部とを備えることが好ましい。
【００１７】
このような構成によれば、測定器は、測定値観測部と、点灯制御部とを備えているので、測定値の変動があった場合に、光源を自動的に点灯させることができる。したがって、測定器は、その利便性を向上させることができる。
【００１８】
本発明の電池蓋は、情報を表示する表示部と、表示部を駆動する電池を収納する電池収納部とを備える測定器に用いられるとともに、電池収納部を閉塞する電池蓋であって、表示部と隣り合うようにして取り付けられるとともに、光を照射することによって表示部を照明する光源を備え、光源は、電池にて駆動されることを特徴とする。
【００１９】
このような構成によれば、電池蓋は、光を照射することによって表示部を照明する光源を備えているので、測定器の電池収納部に取り付けることによって、暗所での表示部の視認性を向上させることができる。
また、光源は、電池蓋に取り付けられているので、測定器の外部に露出することはなく、測定器の外観を良好にすることができる。
さらに、光源は、表示部を駆動する電池にて駆動されるので、測定器は、光源を駆動するために別個に電池を有する必要はなく、測定器の大型化を抑制することができる。
【図面の簡単な説明】
【００２０】
【図１】本発明の一実施形態に係るノギスを示す斜視図
【図２】スライダに取り付けられた電池蓋を取り外した状態を示す斜視図
【図３】ＬＥＤにて照射される光の方向を示す図
【図４】電池蓋を回転させた状態を示す図
【図５】ノギスの内部構成を示すブロック図
【発明を実施するための形態】
【００２１】
以下、本発明の一実施形態を図面に基づいて説明する。
図１は、本発明の一実施形態に係るノギスを示す斜視図である。
ノギス１は、図１に示すように、矩形板状に形成された本尺１１と、本尺１１の長手方向に沿って摺動自在に取り付けられた角筒状のスライダ１２とを備えたデジタル表示式測定器である。
【００２２】
本尺１１は、長手方向におけるスライダ１２側の端部に形成された外側測定ジョー１１Ａ（図１右下側）と、外側測定ジョー１１Ａの反対側に形成された内側測定ジョー１１Ｂ（図１左上側）とを備えている。また、本尺１１の正面には、本尺目盛１１Ｃが設けられている。
スライダ１２は、外側測定ジョー１１Ａに対応して設けられた外側測定ジョー１２Ａと、内側測定ジョー１１Ｂに対応して設けられた内側測定ジョー１２Ｂと、正面に設けられた表示部１２Ｃと、表示部１２Ｃの周囲に設けられた複数の機械式のスイッチ１２Ｄとを備えている。なお、表示部１２Ｃは、液晶ディスプレイを用いることによって情報を表示する。
【００２３】
ノギス１は、スライダ１２を本尺１１に対して摺動させて外側測定ジョー１１Ａ，１２Ａを被測定物の外側に当接させることによって、被測定物の外側の長さを測定することができる。また、ノギス１は、内側測定ジョー１１Ｂ，１２Ｂを被測定物の内側に当接させることによって、被測定物の内側の長さを測定することができる。そして、ノギス１は、被測定物を測定して得られた測定値などの情報を表示部１２Ｃに表示する。
【００２４】
図２は、スライダに取り付けられた電池蓋を取り外した状態を示す斜視図である。
スライダ１２は、図１および図２に示すように、表示部１２Ｃを駆動する電池ＥＢを収納する電池収納部１３（図２参照）と、円盤状に形成されるとともに、電池収納部１３を閉塞する電池蓋１４とを備えている。
電池収納部１３は、表示部１２Ｃと隣り合うようにして設けられるとともに、円盤状の電池ＥＢを収納すべく断面円形状に形成された凹部である。
なお、この電池収納部１３は、その内部に電池ＥＢと当接する端子（図示略）を備えている。
【００２５】
電池蓋１４は、表示部１２Ｃと隣り合うようにして取り付けられるとともに、光を照射することによって表示部１２Ｃを照明する光源としてのＬＥＤ（Light Emitting Diode）１４Ａと、ＬＥＤ１４Ａを点灯または消灯させる光源用スイッチ１４Ｂとを備えている。
なお、この電池蓋１４は、その内部に電池ＥＢと当接する端子（図示略）を備え、ＬＥＤ１４Ａは、この電池ＥＢにて駆動される。また、この電池蓋１４は、通常の電池蓋（ＬＥＤ１４Ａおよび光源用スイッチ１４Ｂを備えていない電池蓋）と同様の電池収納部への取付構造を有しているので、通常の電池蓋を備えた測定器において、この通常の電池蓋を、本実施形態における電池蓋１４に交換することによって、ＬＥＤ１４Ａにて表示部を照明することができるようになる。
【００２６】
図３は、ＬＥＤにて照射される光の方向を示す図である。
ＬＥＤ１４Ａは、所定の方向に向かって光を照射するように電池蓋１４に固定されている。具体的には、ＬＥＤ１４Ａは、図３の網掛矢印に示すように、本尺１１の長手方向と平行な方向に向かって光を照射することによって表示部１２Ｃを照明する。
光源用スイッチ１４Ｂは、ノギス１の使用者による操作入力に基づいて、ＬＥＤ１４Ａを点灯または消灯させるトグルスイッチである。したがって、ノギス１の使用者は、光源用スイッチ１４Ｂを押下することによって、ＬＥＤ１４Ａを点灯させることができ、その後、再び光源用スイッチ１４Ｂを押下することによって、ＬＥＤ１４Ａを消灯させることができる。
また、電池蓋１４は、表示部１２Ｃの表示面と直交する軸を中心として回転自在に電池収納部１３に取り付けられている。換言すれば、電池蓋１４は、自己の中心軸まわりに回転自在に電池収納部１３に取り付けられている。
【００２７】
図４は、電池蓋を回転させた状態を示す図である。
ＬＥＤ１４Ａは、前述したように、所定の方向に向かって光を照射するように電池蓋１４に固定されているので、例えば、図４の実線矢印に示すように、電池蓋１４を回転させることによって、図４の網掛矢印に示すように、電池蓋１４の回転に伴って光を照射する方向を変動させることができる。これによれば、ＬＥＤ１４Ａは、図４に示すように、外側測定ジョー１１Ａ，１２Ａの近傍などを照明することができるので、被測定物の測定箇所などの表示部１２Ｃ以外の部位を照明することができる。
【００２８】
具体的には、電池蓋１４は、自己の中心軸まわりに回転自在に構成されるとともに、本尺１１の長手方向と平行な方向に向かって光を照射することによって表示部１２Ｃを照明する方向（図３参照）、外側測定ジョー１１Ａ，１２Ａの近傍を照明する方向（図４参照）、および内側測定ジョー１１Ｂ，１２Ｂの近傍を照明する方向（図示略）の３つの位置に切り替えて固定することができるように構成されている。
なお、本実施形態では、電池蓋１４は、前述した３つの位置に切り替えて固定することができるように構成されているが、２つの位置に切り替えて固定することができるように構成されていてもよく、４つ以上の複数の位置に切り替えて固定することができるように構成されていてもよい。また、電池蓋１４は、複数の位置に切り替えて固定することができるように構成されていなくてもよい。換言すれば、電池蓋１４は、ＬＥＤ１４Ａにて光を照射する方向を自由に設定することができるように構成されていてもよい。
【００２９】
図５は、ノギスの内部構成を示すブロック図である。
ノギス１は、図５に示すように、ＣＰＵ（Central Processing Unit）やメモリなどによって構成されるとともに、所定のプログラムに従って情報処理を実行する制御手段２を備えている。
制御手段２は、前述の表示部１２Ｃや、ＬＥＤ１４Ａなどを含むノギス１の全体を制御する。この制御手段２は、所定の間隔で測定値の変動を観測する測定値観測部２１と、ＬＥＤ１４Ａを消灯させるように光源用スイッチ１４Ｂを切り替える消灯制御部２２と、ＬＥＤ１４Ａを点灯させるように光源用スイッチ１４Ｂを切り替える点灯制御部２３とを備えている。
【００３０】
具体的には、測定値観測部２１は、所定の間隔（例えば、１００ｍｓｅｃごと）でサンプリングして測定値を取得することによって、測定値の変動を観測するように構成することができる。
消灯制御部２２は、測定値観測部２１にて観測された測定値の変動が所定の期間ない場合に、ＬＥＤ１４Ａを消灯させるように光源用スイッチ１４Ｂを内部的に切り替える。
点灯制御部２３は、測定値観測部２１にて観測された測定値の変動があった場合に、ＬＥＤ１４Ａを点灯させるように光源用スイッチ１４Ｂを内部的に切り替える。
【００３１】
なお、消灯制御部２２および点灯制御部２３による光源用スイッチ１４Ｂの切り替えは、表示部１２Ｃの周囲に設けられた複数の機械式のスイッチ１２Ｄを操作することによって、有効または無効に設定することができる。
【００３２】
このような本実施形態によれば、以下の作用・効果を奏することができる。
（１）電池蓋１４は、光を照射することによって表示部１２Ｃを照明するＬＥＤ１４Ａを備えているので、暗所での表示部１２Ｃの視認性を向上させることができる。
（２）ＬＥＤ１４Ａは、電池蓋１４に取り付けられているので、ノギス１の外部に露出することはなく、ノギス１の外観を良好にすることができる。
（３）ＬＥＤ１４Ａは、表示部１２Ｃを駆動する電池ＥＢにて駆動されるので、ノギス１は、ＬＥＤ１４Ａを駆動するために別個に電池を有する必要はなく、ノギス１の大型化を抑制することができる。
【００３３】
（４）ＬＥＤ１４Ａは、電池蓋１４の回転に伴って光を照射する方向を変動させるので、表示部１２Ｃを照明する位置を変動させたり、被測定物の測定箇所などの表示部１２Ｃ以外の部位を照明したりすることができ、ノギス１の利便性を向上させることができる。
（５）ノギス１は、光源用スイッチ１４ＢにてＬＥＤ１４Ａを点灯または消灯させることができるので、必要に応じてＬＥＤ１４Ａを点灯または消灯させることができ、ひいては電池ＥＢの消耗を抑制することができる。
【００３４】
（６）ノギス１は、測定値観測部２１と、消灯制御部２２とを備えているので、測定値の変動が所定の期間ない場合に、ＬＥＤ１４Ａを自動的に消灯させることができる。したがって、ノギス１は、電池ＥＢの消耗を抑制することができるとともに、その利便性を向上させることができる。
（７）ノギス１は、測定値観測部２１と、点灯制御部２３とを備えているので、測定値の変動があった場合に、ＬＥＤ１４Ａを自動的に点灯させることができる。したがって、ノギス１は、その利便性を向上させることができる。
【００３５】
なお、本発明は、前記実施形態に限定されるものではなく、本発明の目的を達成できる範囲での変形、改良等は本発明に含まれるものである。
例えば、前記実施形態では、測定器としてノギス１を例示していたが、マイクロメータなどの他の測定器であってもよい。要するに、本発明の測定器は、情報を表示する表示部と、表示部を駆動する電池を収納する電池収納部と、電池収納部を閉塞する電池蓋とを備えた測定器であればよい。
【００３６】
また、前記実施形態では、電池蓋１４は、表示部１２Ｃの表示面と直交する軸を中心として回転自在に電池収納部１３に取り付けられていたが、回転自在に取り付けられていなくてもよい。要するに、電池蓋は、光を照射することによって、表示部を照明する光源を備えていればよい。
また、前記実施形態では、ＬＥＤ１４Ａは、電池蓋１４の回転に伴って光を照射する方向を変動させていたが、これ以外の方法によって、光を照射する方向を変動させてもよい。例えば、光源は、モータを用いることなどによって、光を照射する方向を変動させてもよい。
【００３７】
また、前記実施形態では、電池蓋１４は、ＬＥＤ１４Ａを点灯または消灯させる光源用スイッチ１４Ｂを備えていたが、これを備えていなくてもよい。この場合には、消灯制御部２２および点灯制御部２３は、ＬＥＤ１４Ａを直接的に点灯または消灯させればよい。
また、前記実施形態では、制御手段２は、所定の間隔で測定値の変動を観測する測定値観測部２１と、ＬＥＤ１４Ａを消灯させるように光源用スイッチ１４Ｂを切り替える消灯制御部２２と、ＬＥＤ１４Ａを点灯させるように光源用スイッチ１４Ｂを切り替える点灯制御部２３とを備えていたが、これらを備えていなくてもよい。この場合には、ノギス１の使用者は、光源用スイッチ１４Ｂを押下することによって、ＬＥＤ１４Ａを点灯または消灯させればよい。
なお、測定器は、光を照射することによって、表示部を照明する光源を備えていればよく、この光源は、点灯しつづけるように構成されていてもよい。
【００３８】
また、前記実施形態では、電池蓋１４は、通常の電池蓋と同様の電池収納部への取付構造を有し、通常の電池蓋と交換可能に構成されていたが、このように構成されていなくてもよい。
また、前記実施形態では、ＬＥＤ１４Ａは、電池蓋１４の回転に伴って光を照射する方向を変動させていたが、例えば、光量やフォーカスなどを変動させるように構成されていてもよい。
【産業上の利用可能性】
【００３９】
以上のように、本発明は、情報を表示する表示部を備えた測定器およびその測定器に用いられる電池蓋に好適に利用できる。
【符号の説明】
【００４０】
１              ノギス（測定器）
２              制御手段
１１            本尺
１１Ａ，１２Ａ  外側測定ジョー
１１Ｂ，１２Ｂ  内側測定ジョー
１１Ｃ          本尺目盛
１２            スライダ
１２Ｃ          表示部
１２Ｄ          スイッチ
１３            電池収納部
１４            電池蓋
１４Ａ          ＬＥＤ（光源）
１４Ｂ          光源用スイッチ
２１            測定値観測部
２２            消灯制御部
２３            点灯制御部
ＥＢ            電池
【図１】
0006416611.tif 000002
【図２】
0006416611.tif 000003
【図３】
0006416611.tif 000004
【図４】
0006416611.tif 000005
【図５】
0006416611.tif 000006